(57)【要約】【課題】  初めてペットを飼う人であっても、簡単かつ確実にトイレのしつけを行うことができるペット用トイレを得る。【解決手段】  ペット用トイレ１であって、周縁部６を有するベースプレート２と、前記ベースプレート２の前記周縁部６の内側に立設された檻３と、前記ベースプレート２の上面に載置されたトイレシート１０を前記ベースプレート１０に対して固定する固定手段４と、前記檻３を前記ベースプレート１０の前記周縁部６の内側に固定すると共に、前記固定手段４を移動可能に支持する固定支持手段５とを備えている。【選択図】  図１
2006217855.tif 000002
【特許請求の範囲】
【請求項１】
ペット用トイレであって、
周縁部を有するベースプレートと、
前記ベースプレートの前記周縁部の内側に立設された檻と、
前記ベースプレートの上面に載置されたトイレシートを前記ベースプレートに対して固定する固定手段と、
前記檻を前記ベースプレートの前記周縁部の内側に固定すると共に、前記固定手段を移動可能に支持する固定支持手段とを備えていることを特徴とするペット用トイレ。
【請求項２】
前記固定手段は、枠状であることを特徴とする請求項１に記載のペット用トイレ。
【請求項３】
前記固定手段には、該固定手段の移動を制限するためのロック部材が設けられていることを特徴とする請求項１又は２に記載のペット用トイレ。
【請求項４】
前記檻は、金網檻であることを特徴とする請求項１乃至３のいずれか一つに記載のペット用トイレ。
【請求項５】
前記固定支持手段は、
前記ベースプレートの前記周縁部の内側面に係合する係合部と、
前記檻の一部を収容する収容溝と、
前記固定手段に設けられたロッド部と、
前記ロッド部を回動可能に支持する支持溝とを備えていることを特徴とする請求項１乃至４のいずれか一つに記載のペット用トイレ。
【請求項６】
前記固定支持手段は、樹脂で成形されていることを特徴とする請求項５に記載のペット用トイレ。
【発明の詳細な説明】
【技術分野】
【０００１】
本発明は、犬や猫等のペットに利用することができるペット用トイレに関するものである。
【背景技術】
【０００２】
従来において、犬や猫等のペットに利用することができるペット用トイレが種々知られている（例えば、特許文献１参照。）。
【特許文献１】特開２００４−１８０５７１号公報
【発明の開示】
【発明が解決しようとする課題】
【０００３】
犬や猫のしつけの中で最も重要なしつけはトイレのしつけである。しかしながら、上述のような従来におけるペット用トイレは、単なるペットのトイレであるため、このようなトイレを用いて、トイレのしつけを行うことは困難である。特に、初めてペットを飼う人には非常に困難である。
【０００４】
本発明は、上述のような従来技術の問題点に鑑みてなされたものであり、初めてペットを飼う人であっても、簡単かつ確実にトイレのしつけを行うことができるペット用トイレを提供することを目的とする。
【課題を解決するための手段】
【０００５】
本発明は、ペット用トイレであって、周縁部を有するベースプレートと、前記ベースプレートの前記周縁部の内側に立設された檻と、前記ベースプレートの上面に載置されたトイレシートを前記ベースプレートに対して固定する固定手段と、前記檻を前記ベースプレートの前記周縁部の内側に固定すると共に、前記固定手段を移動可能に支持する固定支持手段とを備えていることを特徴とするペット用トイレを提供する。
【０００６】
また、前記固定手段は、枠状にすることができる。また、前記檻は、金網檻にすることができる。また、前記固定手段には、該固定手段の移動を制限するためのロック部材を設けることができる。また、前記固定支持手段は、前記ベースプレートの前記周縁部の内側面に係合する係合部と、前記檻の一部を収容する収容溝と、前記固定手段に設けられたロッド部と、前記ロッド部を回動可能に支持する支持溝とを備えている。また、前記固定支持手段は、樹脂で成形することができる。
【発明の効果】
【０００７】
本発明によれば、初めてペットを飼う人であっても、簡単かつ確実にトイレのしつけを行うことができる。また、固定支持手段のみによって、前記檻を前記ベースプレートの前記周縁部の内側に固定すると共に、前記固定手段を移動可能に支持するようにしているため、構成が簡単で、ペット用トイレの組み立て・分解を簡単に行うことができると共に製造コストを抑えることができる。
【発明を実施するための最良の形態】
【０００８】
以下、本発明にかかるペット用トイレを実施するための最良の形態について図面を参照しながら述べる。図１には、犬や猫等のペットに利用することができる本発明にかかるペット用トイレ１の全体斜視図を示し、図２にはそのペット用トイレ１の上面図を示している。図１及び図２に示すように、ペット用トイレ１は、ベースプレート２と、檻としての金網檻３と、枠状の固定手段４と、固定支持手段５とを備えている。ベースプレート２は、上方に伸びた４つの周縁部６を有する。
【０００９】
金網檻３は、正面板３ａと左右の側面板３ｂ、３ｃと背面板３ｄとを有し、ベースプレート２の４つの周縁部６の内側に立設されている。正面板３ａ、側面板３ｂ、３ｃ及び背面板３ｄは、一つの檻を形成するように複数の連結部７によって連結されている。また、正面板３ａには、扉施錠装置８を備える扉板９が設けられている。扉施錠装置８及び扉板９についての具体的な説明は省略する。なお、ペットによっては、金網檻３は、上面板（図示せず）を有することができる。
【００１０】
ベースプレート２の上面には、トイレシート１０が載置されている。トイレシート１０は、ベースプレート２の上面に一枚だけ載置されていてもよいし、二枚以上を並列させて載置させてもよい。図示のものは、２枚のトイレシート１０が左右に並列されて載置されている。
【００１１】
このようにベースプレート２の上面に載置されたトイレシート１０は、枠状の固定手段４によってベースプレート２に対して固定される。固定手段４は、枠状に形成されており、ベースプレート２の周縁部６の内側、すなわちトイレシート１０の周縁部に沿って設けられている。この固定手段４によって、ベースプレート２の上面に載置されたトイレシート１０はその周縁部がベースプレート２に対して動かないように固定される。また、図示のように、２枚のトイレシート１０が左右に並列されて載置されている場合は、この２枚のトイレシート１０が捲れるのを防止するロッド部材２０を設けることができる。ロッド部材２０が設けられる位置は、互いに隣接するトイレシート１０の縁部上である方が好ましい。
【００１２】
固定支持手段５は、金網檻３をベースプレート２の周縁部６の内側に固定すると共に、固定手段４を移動（回動）可能に支持するためのものである。図４によく示されているように、固定支持手段５は、左右対称の一対の固定支持手段５ａ、５ｂで構成され、樹脂で成形されており、各固定支持手段５ａ、５ｂは、ベースプレート２の周縁部６の内側面に係合する左右一対の係合部１１ａ、１１ｂと、金網檻３の一部を収容する左右一対の収容溝１２ａ、１２ｂと、固定手段４に設けられたロッド部１３と、ロッド部１３を回動可能に支持する支持溝１４とをそれぞれ備えている。
【００１３】
具体的に説明すると、ベースプレート２の周縁部６（図１及び図２においては金網檻３の背面板３ｄに対応する周縁部６）の内側面には、各固定支持手段５ａ、５ｂの左右一対の係合部１１ａ、１１ｂに対応する左右一対の係合穴１５ａ、１５ｂがそれぞれ形成されている。図３には、固定支持手段５ａの左右一対の係合部１１ａ、１１ｂに対応する左右一対の係合穴１５ａ、１５ｂを示している。以下、説明の便宜上、図３を参照して固定支持手段５ａのみについて説明する。固定支持手段５ａの収容溝１２ａ、１２ｂに金網檻３の背面板３ｄの一部を収容させた状態で、係合部１１ａ、１１ｂを係合穴１５ａ、１５ｂに係合させる。この係合により、金網檻３をベースプレート２の周縁部６の内側に固定することができる。また、この係合の際、固定手段４に設けられたロッド部１３を支持溝１４に嵌合させる。この嵌合により、ロッド部１３を中心にして固定手段４を移動（回動）可能に支持することができる。すなわち、固定手段４は、固定支持手段を介してベースプレート２及びトイレシート１０に対して回動することができる。ベースプレート２の上面に載置されたトイレシート１０の交換は、ロッド部１３を中心にして固定手段４を回動させて行うことができる。また、支持溝１４は、その切り口（ロッド部１３の挿入口）がロッド部１３の直径よりも小さく形成されているため、ロッド部１３が支持溝１４から外れることはない。上述では、固定支持手段５ａのみについて説明したが、固定支持手段５ｂについても同様の構成であり説明は省略する。
【００１４】
このように、固定支持手段５のみで金網檻３をベースプレート２の周縁部６の内側に固定すると共に、固定手段４を移動可能に支持するようにしているため、構成が簡単であり、ペット用トイレを容易に組み立てることができる。また、固定支持手段５を取り外すことにより、ペット用トイレを容易に分解することができる。
【００１５】
また、図２に示すように、ベースプレート２の上面に載置されたトイレシート１０に対して固定手段４が自由に回動しないようにロック部材２１を設けることができる。すなわち、固定手段４には、固定手段４の移動を制限するためのロック部材２１を設けることができる。このロック部２１は、固定手段４のロッド部１３が設けられた枠に対向する枠（図２において下側に位置する枠）に設けられている。図示のロック部材２１は、左右対称の一対のロック部材２１で構成されている。このロック部材２１は、固定手段４の枠から突出可能にスライド移動することができ、ベースプレート２のロック部材２１と対向する位置に設けられた挿入穴（図示せず）に挿入することにより、固定手段４がトイレシート１０に対して自由に回動しないように固定することができる。図示のものは、一対のロック部材で構成されているが、これに限らず、一つでも良いし、３つ以上でも良い。
【００１６】
また、図１及び図２に示す固定手段４は、一つの枠状に形成されているが、図４及び図５に示すように、左右に分割された左右対称の二つの枠で構成することができる。この場合、図４及び図５に示すように、各枠ごとに、固定支持手段５及びロック手段２１を設けることができる。
【００１７】
また、金網檻３は、固定支持手段５のみによってベースプレート２の周縁部６の内側に固定されているが、固定支持手段５だけでなく、別の金網用固定手段（図示せず）を用いて固定されることができる。この金網用固定手段は、任意の場所に設けることができ、例えば、固定支持手段５が設けられていないベースプレート２の周縁部６に対応して設けることができる。金網用固定手段での固定方法は、固定支持手段５と同様にすることができる。
【００１８】
次に、上記ペット用トイレ１を用いたトイレのしつけ方について説明する。例えば、犬や猫等のペットが排便・排尿を催したら、ペット用トイレ１に入れて扉板９を閉じ、ペットが用を足すまで待つ。そして、ペットが用を終えたら、扉板９を開けてペット用トイレ１からペットを出してペットを褒めてやる。ペットが用を足す度にこの作業を繰り返す。そして、ペットがペット用トイレ１で用を足すしつけに慣れてきたら、扉板９を開けたままにしてペット用トイレ１で排便・排尿をさせる。さらに慣れてきたら、金網檻３を外してペット用トイレ１で排便・排尿をさせる。これにより、ペットがペット用トイレ１で用を足すようにペットにしつけることができる。また、金網檻３は、固定支持手段５（及び金網用固定手段）を外すことにより簡単に取り外せることができる。また、トイレシート１０の交換も固定手段４を回動させることにより簡単に行うことができる。
【図面の簡単な説明】
【００１９】
【図１】図１は、本発明にかかるペット用トイレの実施の形態を示す全体斜視図である。
【図２】図２は、ペット用トイレを示す上面図である。
【図３】図３は、ペット用トイレの一部を示す部分斜視図である。
【図４】図４は、別のペット用トイレを示す上面図である。
【図５】図５は、図４に示すペット用トイレを示す斜視図である。
【符号の説明】
【００２０】
１    ペット用トイレ                          ２    ベースプレート
３    金網檻                                  ４    固定手段
５    固定支持手段                            ６    周縁部
７    連結部                                  ８    扉施錠装置
９    扉板                                  １０    トイレシート
１１ａ  係合部                                １１ｂ  係合部
１２ａ  収容溝                                １２ｂ  収容溝
１３    ロッド部                              １４    支持溝
１５ａ  係合穴                                １５ｂ  係合穴
２１    ロック部材
【図１】
2006217855.tif 000003
【図２】
2006217855.tif 000004
【図３】
2006217855.tif 000005
【図４】
2006217855.tif 000006
【図５】
2006217855.tif 000007